【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
（ａ）潤滑粘度の油と、
（ｂ）潤滑剤に少なくとも２ＴＢＮをもたらす量の少なくとも１つの金属含有清浄剤と、
（ｃ）少なくとも４０個の炭素原子および酸担持部分を含む親油性部分を含み、ＴＡＮ：ＴＢＮ比が少なくとも０．８であることを特徴とする分散剤と
を含む潤滑剤組成物であって、前記分散剤が少なくとも０．１重量パーセントの量で存在し、前記分散剤が、前記潤滑剤組成物に少なくとも０．０２５ＴＡＮをもたらす、潤滑剤組成物。
【請求項２】
前記潤滑剤の硫酸灰分値が最大１．１パーセントである、請求項１に記載の潤滑剤組成物。
【請求項３】
前記金属含有清浄剤が、過塩基化カルシウムスルホネートまたは過塩基化カルシウムフェネートを含む、請求項１または２のいずれか一項に記載の潤滑剤組成物。
【請求項４】
前記１つまたは複数の金属含有清浄剤が、前記潤滑剤に少なくとも４ＴＢＮをもたらす量で存在する、請求項１から３までのいずれか一項に記載の潤滑剤組成物。
【請求項５】
前記１つまたは複数の金属含有清浄剤の量が、０．３〜３重量パーセントである、請求項１または２のいずれか一項に記載の潤滑剤組成物。
【請求項６】
前記潤滑剤の硫酸灰分値が０．３〜０．８パーセントである、請求項１から５までのいずれか一項に記載の潤滑剤組成物。
【請求項７】
前記分散剤が、ポリオレフィン置換コハク酸、エステル、アミド、またはイミドを含み、前記分散剤が、少なくともいくつかの酸性官能基を含有する、請求項１から６までのいずれか一項に記載の潤滑剤組成物。
【請求項８】
前記分散剤のＴＡＮ：ＴＢＮ比が少なくとも５である、請求項１から７までのいずれか一項に記載の潤滑剤組成物。
【請求項９】
前記分散剤のＴＡＮが少なくとも２０である、請求項１から８までのいずれか一項に記載の潤滑剤組成物。
【請求項１０】
前記分散剤のＴＢＮが最大で１０である、請求項１から９までのいずれか一項に記載の潤滑剤組成物。
【請求項１１】
ＴＡＮ：ＴＢＮ比が０．８未満である追加的な分散剤をさらに含む、請求項１から１０までのいずれか一項に記載の潤滑剤組成物。
【請求項１２】
機械デバイスを潤滑する方法であって、前記機械デバイスに、請求項１から１１までのいずれか一項に記載の潤滑組成物を供給する工程を含む方法。
【請求項１３】
前記機械デバイスが内燃機関を含む、請求項１２に記載の方法。
【請求項１４】
内燃機関を潤滑するために使用される、（ａ）潤滑粘度の油と、（ｂ）潤滑剤に少なくとも２ＴＢＮをもたらす量の少なくとも１つの金属含有清浄剤とを含む潤滑剤におけるＴＢＮの保持率を改善する方法であって、前記潤滑剤中に、（ｃ）少なくとも４０個の炭素原子および酸担持部分を含む親油性部分を含み、ＴＡＮ：ＴＢＮ比が少なくとも０．８であることを特徴とする分散剤を含めることを含み、前記分散剤が少なくとも０．１重量パーセントの量で存在し、前記分散剤が、前記潤滑剤組成物に少なくとも０．０２５ＴＡＮをもたらす方法。
【請求項１５】
内燃機関を潤滑するために使用される潤滑剤のＴＢＮ保持率を改善するための、少なくとも４０個の炭素原子および酸担持部分を含む親油性部分を含み、ＴＡＮ：ＴＢＮ比が少なくとも０．８であることを特徴とする分散剤の使用であって、前記潤滑剤が、（ａ）潤滑粘度の油と、（ｂ）潤滑剤に少なくとも２ＴＢＮをもたらす量の少なくとも１つの金属含有清浄剤を含み、
前記分散剤が少なくとも０．１重量パーセントの量で存在し、前記分散剤が、潤滑剤組成物に少なくとも０．０２５ＴＡＮをもたらす使用。
【手続補正２】
【補正対象書類名】明細書
【補正対象項目名】０００７
【補正方法】変更
【補正の内容】
【０００７】
開示されている技術は、内燃機関を潤滑するために使用される潤滑剤のＴＢＮ保持率を改善するための、少なくとも約４０個の炭素原子および酸担持部分を含む親油性部分を含み、ＴＡＮ：ＴＢＮ比が少なくとも約０．８であることを特徴とする分散剤の使用であって、前記潤滑剤が、（ａ）潤滑粘度の油と、（ｂ）潤滑剤に少なくとも約２ＴＢＮをもたらす量の少なくとも１つの金属含有清浄剤とを含み、前記分散剤が少なくとも約０．１重量パーセントの量で存在し、前記分散剤が、潤滑剤組成物に少なくとも約０．０２５ＴＡＮをもたらす使用をさらに提供する。
一実施形態において、例えば、以下の項目が提供される。
（項目１）
（ａ）潤滑粘度の油と、
（ｂ）潤滑剤に少なくとも約２ＴＢＮをもたらす量の少なくとも１つの金属含有清浄剤と、
（ｃ）少なくとも約４０個の炭素原子および酸担持部分を含む親油性部分を含み、ＴＡＮ：ＴＢＮ比が少なくとも約０．８であることを特徴とする分散剤と
を含む潤滑剤組成物であって、前記分散剤が少なくとも約０．１重量パーセントの量で存在し、前記分散剤が、前記潤滑剤組成物に少なくとも約０．０２５ＴＡＮをもたらす、潤滑剤組成物。
（項目２）
前記潤滑剤の硫酸灰分値が最大約１．１パーセントである、項目１に記載の潤滑剤組成物。
（項目３）
前記金属含有清浄剤が、第２族金属フェネート清浄剤を含む、項目１または項目２に記載の潤滑剤組成物。
（項目４）
前記金属含有清浄剤が、カルシウムフェネート清浄剤を含む、項目１から３までのいずれか一項に記載の潤滑剤組成物。
（項目５）
前記金属含有清浄剤が、過塩基化清浄剤を含む、項目１から４までのいずれか一項に記載の潤滑剤組成物。
（項目６）
前記金属含有清浄剤が、過塩基化カルシウムスルホネートまたは過塩基化カルシウムフェネートを含む、項目１または２のいずれか一項に記載の潤滑剤組成物。
（項目７）
前記１つまたは複数の金属含有清浄剤が、前記潤滑剤に少なくとも４ＴＢＮをもたらす量で存在する、項目１から６までのいずれか一項に記載の潤滑剤組成物。
（項目８）
前記１つまたは複数の金属含有清浄剤の量が、約０．３〜約３重量パーセントである、項目１から５までのいずれか一項に記載の潤滑剤組成物。
（項目９）
前記潤滑剤の硫酸灰分値が約０．３〜約０．８パーセントである、項目１から８までのいずれか一項に記載の潤滑剤組成物。
（項目１０）
前記分散剤が、ポリオレフィン置換コハク酸、エステル、アミド、またはイミドを含み、前記分散剤が、少なくともいくつかの酸性官能基を含有する、項目１から９までのいずれか一項に記載の潤滑剤組成物。
（項目１１）
前記分散剤のＴＡＮ：ＴＢＮ比が少なくとも約５である、項目１から１０までのいずれか一項に記載の潤滑剤組成物。
（項目１２）
前記分散剤のＴＡＮが少なくとも約３である、項目１から１１までのいずれか一項に記載の潤滑剤組成物。
（項目１３）
前記のＴＡＮが少なくとも約２０である、項目１から１２までのいずれか一項に記載の潤滑剤組成物。
（項目１４）
前記分散剤のＴＢＮが最大で約１０である、項目１から１３までのいずれか一項に記載の潤滑剤組成物。
（項目１５）
ＴＡＮ：ＴＢＮ比が少なくとも０．８である前記分散剤が、潤滑剤組成物に少なくとも約０．１ＴＡＮをもたらす、項目１から１４までのいずれか一項に記載の潤滑剤組成物。
（項目１６）
ＴＡＮ：ＴＢＮ比が０．８未満である追加的な分散剤をさらに含む、項目１から１５までのいずれか一項に記載の潤滑剤組成物。
（項目１７）
抗酸化剤、摩擦調整剤、摩耗防止剤、粘度調整剤、または流動点降下剤のうちの少なくとも１つをさらに含む、項目１から１６までのいずれかに記載の潤滑剤組成物。
（項目１８）
項目１から１７までのいずれかに記載の成分を混和することによって調製された潤滑剤組成物。
（項目１９）
機械デバイスを潤滑する方法であって、前記機械デバイスに、項目１から１８までのいずれか一項に記載の潤滑組成物を供給する工程を含む方法。
（項目２０）
前記機械デバイスが内燃機関を含む、項目１９に記載の方法。
（項目２１）
内燃機関を潤滑するために使用される、（ａ）潤滑粘度の油と、（ｂ）潤滑剤に少なくとも約２ＴＢＮをもたらす量の少なくとも１つの金属含有清浄剤とを含む潤滑剤におけるＴＢＮの保持率を改善する方法であって、前記潤滑剤中に、（ｃ）少なくとも約４０個の炭素原子および酸担持部分を含む親油性部分を含み、ＴＡＮ：ＴＢＮ比が少なくとも約０．８であることを特徴とする分散剤を含めることを含み、前記分散剤が少なくとも約０．１重量パーセントの量で存在し、前記分散剤が、前記潤滑剤組成物に少なくとも約０．０２５ＴＡＮをもたらす方法。
（項目２２）
内燃機関を潤滑するために使用される潤滑剤のＴＢＮ保持率を改善するための、少なくとも約４０個の炭素原子および酸担持部分を含む親油性部分を含み、ＴＡＮ：ＴＢＮ比が少なくとも約０．８であることを特徴とする分散剤の使用であって、前記潤滑剤が、（ａ）潤滑粘度の油と、（ｂ）潤滑剤に少なくとも約２ＴＢＮをもたらす量の少なくとも１つの金属含有清浄剤を含み、前記分散剤が少なくとも約０．１重量パーセントの量で存在し、前記分散剤が、潤滑剤組成物に少なくとも約０．０２５ＴＡＮをもたらす使用。